【事件の表示】
　平成５年特許願第６２９３９号「光電スイッチの感度調整装置」拒絶査定不服審判事件〔平成６年９月９日出願公開、特開平６−２５２７３２〕について、次のとおり審決する。
【結　論】
　本件審判の請求は、成り立たない。
【理　由】
１．手続の経緯・本願発明
　本願は、平成５年２月２５日の出願であって、特許請求の範囲の請求項１に係る発明（以下、「本願発明」という。）は、平成１４年６月２８日付け手続補正書により補正された明細書及び図面の記載からみて、その特許請求の範囲の請求項１に記載された以下のとおりのものと認める。
　「パルス駆動によって制御される光電スイッチからなる物体検出手段と、この物体検出手段の受光信号波形を取り込むためのデータ取り込み手段と、このデータ取り込み手段のデータ取り込み期間Ｔを決定するための１回操作による制御信号入力手段と、上記期間内における検出物体移動中の有無データ群のうち最大値データおよび最小値データをそれぞれ比較決定するデータ比較手段と、このデータ比較手段において決定された最大値データおよび最小値データを格納するデータ格納手段と、この最大値データおよび最小値データの間に動作電圧を設定する演算手段と、この演算手段において決定された演算値に基づいて動作電圧を決定し、上記物体検出手段にフィードバックする動作電圧決定手段とからなり、上記制御信号入力手段によるデータ取込み期間中には少なくとも１つ以上の最大値データおよび最小値データを取り込むことを特徴とした光電スイッチの感度調整装置。」
　
２．引用例
（１）これに対して、当審の拒絶理由に引用された特開平２−２３９７２０号公報（以下、「引用例」という。）には、図面とともに、次の事項が記載されている。
　イ．「（１）投光手段と、検出物体からの反射光を受光する受光手段とを備えると共に、検出物体を検知しうる最小受光感度設定状態での受光信号の大きさをサンプルホールドして記憶する手段と、検出物体を検知しうる最大感度設定状態での受光信号の大きさをサンプルホールドして記憶する手段と、両受光感度の受光信号の大きさの間に光電スイッチ受光感度を設定する演算手段を含んだ光電スイッチ。
　（２）・・・
　（３）最小受光感度設定状態および最大受光感度設定状態で、それぞれの受光信号の大きさの記憶実行を指示する外部装置からの入力信号を受信する手段を設けた特許請求の範囲第１項記載の光電スイッチ。」（１頁下欄、特許請求の範囲第１項〜第３項）
　ロ．「この発明では、受光信号の大きさを発振器１の出力をタイミング信号に用いて、かつ増幅器４の後段からサンプルホールドするサンプルホールド回路１１が設けられている。
　このサンプルホールド回路１１は光電スイッチ受光感度調整用であって、該回路１１の出力はＡ／Ｄ変換回路１２を通し２つの記憶手段１３，１４のいずれかに送られて記憶される。
　記憶手段１３，１４を選択するのがティーチングスイッチ１５，１６で、ティーチングスイッチ１５をＯＮするに伴いトリガ回路１７によって記憶手段１３が選択されて、これにサンプルホールド回路出力が記憶される。
　また、ティーチングスイッチ１６をＯＮするとトリガ回路１８によって記憶手段１４が選択されて、これにサンプルホールド回路出力が記憶される。」（３頁左上欄７行目〜右上欄３行目）
　ハ．「投光手段２からは第４図イに示す点滅光が検出物体２６に投射され、その反射光が受光手段３に入力する。この受光信号波形が第４図ロにおけるＡであって、この受光信号Ａのピーク値ＶＡがサンプルホールドされ、一方のティーチングスイッチ１５をＯＮさせるに伴いＡ／Ｄ変換されたピーク値ＶＡが、最小受光感度設定状態の受光信号の大きさとして一方の記憶手段１３に記憶される。
　・・・
この時の受光信号波形が第４図ロにおけるＢであって、この受光信号Ｂのピーク値ＶＢがサンプルホールドされ、他方のティーチングスイッチ１６をＯＮさせるに伴いＡ／Ｄ変換されたピーク値ＶＢが、最大受光感度設定状態の受光信号の大きさとして他方の記憶手段１４に記憶される。
　演算回路１９は両記憶手段１３，１４に記憶された双方の受光信号の大きさを取り出し、ＶＡとＶＢを演算して両者の中間レベルの電圧Ｃに光電スイッチ受光感度を設定し、これで比較器５のリファレンスレベルを調整する。」（３頁左下欄５行目〜右下欄８行目）
　ニ．「前記したティーチングスイッチ１５，１６はそれぞれに対応する記憶手段１３，１４に記憶タイミングを指示するためのものであるが、これはシーケンサのような外部装置から記憶タイミング指示信号を与えることができる。即ち光電スイッチ１１が検知すべき検出物体が変えられた場合、多くは反射背景も異なるので、光電スイッチ受光感度を再調整せねばならなくなる。そこで外部装置によって検出物体が変わったことを入力して、自動的に感度調整動作を実行させるのである。
　第６図はそのための回路であって、シーケンサにタイミング信号入力端子２７，２８が接続され、検出物体が変わると、シーケンサからこれらタイミング入力端子に記憶タイミング指示信号が入力される。これら信号はフィルタ２９，３０を通ってトランジスタ３１，３２を導通させ、トリガ回路１７，１８によって第１図回路動作と同様それぞれにつながれた記憶手段１３，１４を作動させる。
　・・・
　また、第６図のように、ティーチングスイッチ１５，１６に代えてシーケンサから記憶タイミング指示信号を入力させることによって、検出物体が変わっても人手を煩わすこと無く、光電スイッチ受光感度の再調整が自動的に行なえる。」（４頁左上欄２行目〜右上欄１２行目）
　
　上記引用例の記載及び添付図面ならびにこの分野における技術常識を考慮すると、
　上記「光電スイッチ」に用いられる投射光は「第４図イに示す点滅光」であるから、上記「光電スイッチ」は「パルス駆動によって制御される光電スイッチ」であり、当該「光電スイッチ」はいわゆる「物体検出手段」を構成しており、
　上記「サンプルホールド回路」は受光信号のピーク値をサンプルホールドしてその出力を記憶するものであるから、当該回路は「受光信号波形を取り込むためのデータ取り込み手段」であり、
　上記「最大受光感度設定状態の受光信号の大きさ」は受光信号の「最大値データ」であり、「最小受光感度設定状態の受光信号の大きさ」は受光信号の「最小値データ」であり、上記「記憶手段１３，１４」はそれぞれ前記最小値データ、最大値データを格納するための「データ格納手段」であり、
　上記「演算装置」は前記「最大値データ」および「最小値データ」の間に例えば比較器５のリファレンスレベルの「動作電圧を設定」し、設定された動作電圧を当該比較器５（即ち、物体検出手段）にフィードバックし、当該比較器５のリファレンスレベルを調整する「調整手段」を備えており、
　上記「シーケンサ」は上記「ティーチングスイッチ１５，１６」に代えて用いられるものであり、外部装置（即ち、シーケンサ）によって検出物体が変わったことを入力して、自動的に感度調整動作を実行させるものであるから、当該シーケンサは「検出物体が変わったことを入力する入力手段」を備えており、当該入力手段の操作によりシーケンサはその動作（即ち、受光感度の再調整）を開始し、その動作中に前記最大値データと最小値データを取り込むものである。
　また、符号１１から３２までの回路等からなるブロックはいわゆる「光電スイッチの感度調整装置」を構成している。
　したがって、上記引用例には以下の発明（以下、「引用発明」という。）が記載されている。
　「パルス駆動によって制御される光電スイッチからなる物体検出手段と、この物体検出手段の受光信号波形を取り込むためのデータ取り込み手段と、検出物体が変わったことを入力する入力手段と、取り込まれた最大値データおよび最小値データを格納するデータ格納手段と、この最大値データおよび最小値データの間に動作電圧を設定する演算手段と、この演算手段において決定された演算値に基づいて動作電圧を決定し、上記物体検出手段にフィードバックする調整手段とからなり、上記入力手段による動作中には１つの最大値データおよび最小値データを取り込むことを特徴とした光電スイッチの感度調整装置。」
　
（２）また、同じく当審の拒絶理由に引用された特開平２−２５６０３８号公報（以下、「周知例」という。）には、図面とともに、以下の事項が記載されている。
　「ステップＳ５では、端子Ｃ１１に入力される信号（フォトインタラプタ２３の出力）をＡ／Ｄ変換し、ステップＳ６に進む。
　ステップＳ６では、上記Ａ／Ｄ変換値が最大値レジスタ内の値よりも大きいか否かを判断し、大きくなければステップＳ８に進み、大きければステップＳ７に進む。ステップＳ７では、上記Ａ／Ｄ変換値を最大値レジスタに格納し、ステップＳ８に進む。ステップＳ８では、上記Ａ／Ｄ変換値が最小値レジスタ内の値よりも小さいか否かを判断し、小さくなければステップＳ１０に進み、小さければステップＳ９に進む。ステップＳ９では、上記Ａ／Ｄ変換値を最小値レジスタに格納し、ステップＳ１０に進む。
　ステップ１０では、第１タイマは所定カウント値に達したか否かを判断し、所定カウント値に達していなければステップＳ５に戻り、上記動作を繰返す。すなわち、ステップＳ５〜Ｓ９の動作があらかじめ決められた時間、繰返し行なわれる。通常この時間はパーフォレーションの数孔部分、フィルム２６を移動するのに要する時間に設定する。
　ステップ１０において、第１タイマが所定カウント値に達すると、ステップ１１に進む。ステップ１１では、最大値レジスタおよび最小値レジスタの各値を用いて（最大値＋最小値）／２なる演算を行うことにより、丁度、最大値と最小値との中間状態にスレッショルドレベルが算出される。」（５頁左上欄３行目〜右上欄１１行目）
　
　上記周知例の記載によれば、「所定期間内における検出物体移動中の有無データ群のうち最大値データおよび最小値データをそれぞれ比較決定するデータ比較手段と、このデータ比較手段において決定された最大値データおよび最小値データを用いるスレッショルドレベル自動設定手段」は周知である。
　
３．対比
　そこで、本願発明と引用発明とを対比するに、
　入力手段に関し、本願発明の「このデータ取り込み手段のデータ取り込み期間Ｔを決定するための１回操作による制御信号を入力する入力手段」と引用発明の「検出物体が変わったことを入力する入力手段」はいずれも「感度調整を開始するための入力手段」であるという点で一致しており、
　最大値データおよび最小値データに関し、本願発明の「上記期間内における検出物体移動中の有無データ群のうち最大値データおよび最小値データをそれぞれ比較決定するデータ比較手段と、このデータ比較手段において決定された最大値データおよび最小値データ」と引用発明の「取り込まれた最大値データおよび最小値データ」はいずれも「所定の最大値データおよび最小値データ」であるという点で一致しており、
　本願発明の「動作電圧決定手段」と引用発明の「調整手段」はいずれも物体検出装置の検出感度を設定する手段であるから、両者の間に実質的な差異はない。
　また、本願発明の「制御信号入力手段によるデータ取込み期間中」と引用発明の「入力手段による動作中」はいずれも「入力手段による所定期間中」という点で一致しており、
　上記所定期間中に取り込む最大値データおよび最小値データの数に関し、本願発明の「少なくとも１つ以上」と引用発明の「１つ」は、いずれも「所定数」である点で一致している。
　したがって、本願発明と引用発明は、
「パルス駆動によって制御される光電スイッチからなる物体検出手段と、この物体検出手段の受光信号波形を取り込むためのデータ取り込み手段と、感度調整を開始するための入力手段と、所定の最大値データおよび最小値データを格納するデータ格納手段と、この最大値データおよび最小値データの間に動作電圧を設定する演算手段と、この演算手段において決定された演算値に基づいて動作電圧を決定し、上記物体検出手段にフィードバックする動作電圧決定手段とからなり、上記入力手段による所定期間中には所定数の最大値データおよび最小値データを取り込むことを特徴とした光電スイッチの感度調整装置。」
の点で一致し、以下の点で相違する。
　
＜相違点＞
（１）「感度調整を開始するための入力手段」に関し、本願発明の入力手段は「このデータ取り込み手段のデータ取り込み期間Ｔを決定するための１回操作による制御信号を入力する入力手段」であるのに対し、引用発明のそれは「検出物体が変わったことを入力する入力手段」である点。
（２）「最大値データおよび最小値データ」に関し、本願発明の最大値データおよび最小値データは「上記期間内における検出物体移動中の有無データ群のうち最大値データおよび最小値データをそれぞれ比較決定するデータ比較手段と、このデータ比較手段において決定された最大値データおよび最小値データ」であるのに対し、引用発明のそれらは「取り込まれた最大値データおよび最小値データ」である点。
（３）「入力手段による所定期間中」に関し、本願発明の所定期間中は「制御信号入力手段によるデータ取込み期間中」であるのに対し、引用発明のそれは「入力手段による動作中」である点。
（４）「所定数」に関し、本願発明の所定数は「少なくとも１つ以上」であるのに対し、引用発明のそれは「１つ」である点。
　
４．当審の判断
　そこで、まず、上記相違点（１）について検討するに、本願発明の「このデータ取り込み手段のデータ取り込み期間Ｔを決定するための１回操作による制御信号を入力する入力手段」は本願明細書の説明によれば「ＯＮ・オフを共に手作業で行う場合にはＴは任意不定期の時間になるが、１回操作すればデータ取り込みを開始し、タイマによってオフするような構成とすれば、期間Ｔは一定時間とすることができる。」ものであり、一方、引用発明の「検出物体が変わったことを入力する入力手段」は「当該入力手段の操作によりシーケンサはその動作（即ち、受光感度の再調整）を開始し、その動作中に前記最大値データと最小値データを取り込む」ものであり、当該シーケンサ自体が一連の作業をタイマ等を用いて経時的に処理するものであることを考慮すると、本願発明と引用発明の作用効果に実質的な差異はないから、引用発明の「検出物体が変わったことを入力する入力手段」を本願発明のような「このデータ取り込み手段のデータ取り込み期間Ｔを決定するための１回操作による制御信号を入力する入力手段」とする程度のことは当業者であれば容易なことである。
　ついで、上記相違点（２）、（３）、（４）について検討するに、上記周知例の記載によれば、所定期間内における検出物体移動中の有無データ群のうち最大値データおよび最小値データをそれぞれ比較決定するデータ比較手段と、このデータ比較手段において決定された最大値データおよび最小値データを用いるスレッショルドレベル自動設定手段は周知であるところ、当該周知技術による最大値データおよび最小値データを引用発明の最大値データおよび最小値データとして用いる上での阻害要因は何ら見あたらないから、引用発明の最大値データおよび最小値データとして上記周知技術による最大値データおよび最小値データを利用する程度のことも当業者であれば容易なことである。
　また、上記周知例に記載された周知技術は「所定期間内における検出物体移動中の有無データ群のうち最大値データおよび最小値データをそれぞれ比較決定する」ものであるから、当該周知技術の採用に伴い、「入力手段による所定期間中」を具体的に「制御信号入力手段によるデータ取込み期間中」とし、「所定数」を「少なくとも１つ以上」とする程度のことは単なる設計的事項に過ぎないものである。
　
５．むすび
　以上のとおり、本願発明は、上記引用例に記載された発明ならびに上記周知例に記載された周知技術に基づいて、当業者が容易に発明をすることができたものと認められるから、特許法第２９条第２項の規定により特許を受けることができない。
　
　よって、結論のとおり審決する。